(57)【特許請求の範囲】
【請求項１】
照明負荷と、周囲照度を検出する照度検出部と、前記照度検出部の検出値に応じて前記照明負荷の光出力を制御する制御部とを備える照明装置において、前記制御部は、前記検出値の単位時間の当りの変化幅と過去の検出値の単位時間の当りの変化幅との差が第１の所定値以上の場合は、前記検出値以前の検出値に応じて前記照明負荷の光出力を制御することを特徴とする照明装置。
【請求項２】
前記照明負荷の光出力が減少する場合と前記照明負荷の光出力が増加する場合とは、前記所定値が異なることを特徴とする請求項１に記載の照明装置。
【発明の詳細な説明】
【０００１】
【発明の属する利用分野】
本発明は照明装置に関する。
【０００２】
【従来の技術】
本発明に係る第１従来例として特開平８−１９５２８４号公報に示したものが有り、以下の様な構成を有する。
【０００３】
照度検出部により被照射面の照度を検出する。制御部は、照度検出部の検出出力を演算処理して被照射面の照度を示す照度デ−タを得るとともに、この照度デ−タに基づいて被照射面の照度を所定照度に調整する調光制御デ−タを作製し、照明負荷を調光制御する。被照射面に昼光等が瞬間的に射した場合には、照度検出部の検出出力が急激に且つ瞬間的に上昇する。ここで、制御部は、このような急激且つ瞬間的な検出出力の変化が照度デ−タに影響しないような演算処理を行なう。そのため、上記のような変化に対しては照明負荷の光出力が追随することがなく、ちらつきの少ない快適な視環境を実現できる。
【０００４】
本発明に係る第２従来例として特開平９−１４５４６８号公報に示したものが有り、以下の様な構成を有する。
【０００５】
照度デ−タ作成手段により、所定周期で照度検出部で検出された照度デ−タを読み込み、読み込む毎に照度デ−タ及びメモリに記憶された前回出力照度デ−タに基づいて、新照度デ−タを作成し、その新照度デ−タを前回出力照度デ−タとしてメモリに記憶させ、新照度デ−タが、常に前回出力照度デ−タ及び検出された照度デ−タから作成されるようにし、照度デ−タ比較手段により、新照度デ−タ及び照度設定ボリユ−ムにより設定された照度設定デ−タに基づいて、照明器具の電力を制御する制御信号を出力して、照明器具の電力を制御する。そして、この様に構成することにより、記憶させる照度デ−タを少なくでき、室内の照度変化に対する追従性をよくすることができる。
【０００６】
【発明が解決しようとする課題】
しかし、上記第１従来例では、以下に示すような問題点が生じてしまう。
【０００７】
現在の該照度データではなく、過去の該照度データに基づいて調光制御デ−タが作製されるため、現在の照度あるいは現在の照度変化に対して遅れた制御を行ってしまう、という第１の問題点が生じてしまう。
【０００８】
また、多数のサンプリングデータを基に調光制御デ−タが作製されるが、その為に、多数の該サンプリングデータを記憶保持しておかなければならず、記憶装置が大きくなり、コストアップにもなってしまう、という第２の問題点が生じてしまう。
【０００９】
更に、照度検出部での一定値以上の急激且つ瞬間的な検出出力の変化を除去するように構成しているが、一定値以下の場合には対応できず、つまり、該検出出力の変化を完全に除去することは困難であり、除去しきれなかった検出出力による影響が生じてしまう、という第３の問題点が生じてしまう。
【００１０】
上記第２従来例でも、上記第１及び第３の問題点と同様の問題点が生じてしまう。
【００１１】
本発明は上記全ての問題点に鑑みてなされたもので、その目的とするところは、急激且つ瞬間的な検出出力の変化に対しては照明負荷の光出力が追随することがなく、必要なときは検出出力の変化に対して照明負荷の光出力が略リアルに追随し、ちらつきの少ない快適な視環境を実現可能で、小型化可能な照明装置を提供することである。
【００１２】
【課題を解決するための手段】
上記問題点を解決するために、請求項１記載の発明によれば、照明負荷と、周囲照度を検出する照度検出部と、前記照度検出部の検出値に応じて前記照明負荷の光出力を制御する制御部とを備える照明装置において、前記制御部は、前記検出値の単位時間の当りの変化幅と過去の検出値の単位時間の当りの変化幅との差が第１の所定値以上の場合は、前記検出値以前の検出値に応じて前記照明負荷の光出力を制御することを特徴とする。
【００１４】
請求項２記載の発明によれば、前記照明負荷の光出力が減少する場合と前記照明負荷の光出力が増加する場合とは、前記所定値が異なることを特徴とする
【００１９】
【実施の形態】
（参考である実施の形態１）本発明に係る参考である第１の実施の形態のブロック構成図を図１に、動作説明図を図２に、フローチャートを図３に示す。
【００２０】
本実施の形態は、照明負荷１と、周囲照度を検出し該検出値に応じたアナログ値を出力する照度検出部２と、照度検出部２から出力される信号に応じてＰＷＭ信号などの制御信号を出力し、該制御信号に応じて照明負荷１の光出力を制御する制御部３と、照明負荷１及び照度検出部２及び制御部３の駆動電源４とから構成される。ここで、制御部３は、図示しない記憶部を有するようなワンチップマイコンなどで構成される。
【００２１】
以下、図２及び図３を参照して動作を簡単に説明する。今、照度検出部２は略一定のサンプリング間隔で周囲照度を検出している。図２において、検出値（ｂ）が得られると、検出値（ｂ）と１つ前の検出値（ａ）と比較する。該比較による差の値が所定値以下（例えば１．０以下）であれば、検出値（ｂ）をその時での周囲照度を正確に示すものとして、検出値（ｂ）に応じて照明負荷１の光出力を制御する。次に、検出値（ｃ）が得られると、検出値（ｃ）と１つ前の検出値（ｂ）と比較する。該比較による差の値は所定値以上（例えば１．０以上）であるので、制御部３は、検出値（ｃ）をイレギュラーな光によるもの判断し、検出値（ｃ）に応じては照明負荷１の光出力を制御しない様にする。検出値（ｅ）、（ｆ）の場合についても検出値（ｃ）の場合と同様に動作する。つまり、検出値（ｂ）が得られた時点から検出値（ｆ）が得られた時点迄は、継続的に、検出値（ｂ）に応じた照明負荷１の光出力制御が行われていることになる。更に、検出値（ｇ）が得られると、検出値（ｇ）と１つ前の検出値（ｆ）と比較する。該比較による差の値が所定値以下（例えば１．０以下）であるので、検出値（ｇ）をその時での周囲照度を正確に示すものとして、検出値（ｇ）に応じて照明負荷１の光出力を制御する。以下、検出値（ｈ）、（ｋ）、（ｍ）についても同様に動作する。
【００２２】
以上の様に構成したことにより、現在の検出値の１つ前の検出値と、該比較による差の値が所定値以下の場合のうちの最新の検出値とだけ記憶すればよく、つまり、現在の検出値の１つ前の検出値と、照明負荷１の光出力を変化させるに使用した検出値（ここでは、検出値（ａ）、（ｂ）、（ｇ）、（ｍ））との２点だけ記憶すればよいので、記憶部を小型化できる。また、照度変化が必要な検出値の場合（例えば、検出値（ｇ）〜（ｍ）のような、隣接する照明器具などの点灯により周囲照度が上昇した場合）には、次の検出時に対応可能となるので、検出値に対して照明負荷の光出力が略リアルに追随し、必要な照度を得ることができる。更に、急激且つ瞬間的な検出出力の変化に対しては照明負荷の光出力が追随させないことができる。
【００２３】
なお、本実施の形態では、現在の検出値と１つ前の検出値とを比較するように構成したが、現在の検出値と２つ前の検出値との比較としてもよい。
【００２４】
また、現在の検出値及び２つ前の検出値の比較出力と、現在の検出値及び１つ前の検出値の比較出力とに基づいて制御してもよく、例えば、両比較出力とも所定値以下の場合のみ照明負荷１の光出力を変化させる様に制御してもよい。この様に制御することにより、より大きな検出出力の変化にも対応することができる。
【００２５】
（実施の形態１）本発明に係る第１の実施の形態の動作説明図を図４に、フローチャートを図５に示す。
【００２６】
図２に示す参考である第１の実施の形態と異なる点は、現在の検出値と１つ前の検出値とを比較する代わりに、現在の検出値と１つ前の検出値との間での、単位時間に対する検出値の変化の割合に応じて制御する様に構成したものであり、同一構成には同一符号を付すことにより説明を省略する。なお、ブロック構成図は図１に示すものと同じである。
【００２７】
以下、図４及び図５を参照して動作を簡単に説明する。図３において、検出値（ａ）〜検出値（ｐ）の場合は、サンプリング間隔が略一定（ここではｔ＝１）であり、上記参考である第１の実施の形態と同様の動作を行う。一方、検出値（ｑ）と１つ前の検出値（ｐ）との間の様に、サンプリング間隔が大きく変化した場合（ここではｔ＝５）、単位時間に対する検出値の変化の割合は、（３−１）／５＝０．４と第１の所定値以下（例えば１．０以下）となる。この場合、急激な検出出力の変化ではない、と制御部３は判断し、検出値（ｑ）に応じて照明負荷１の光出力を制御する。また、検出値の単位時間に対する変化の割合が第１の所定値以上であれば、制御部３は、検出値をイレギュラーな光によるものと判断し、照明負荷１の光出力を制御しない様にする。
【００２８】
以上の様に構成したことにより、サンプリング間隔が不規則な場合にも対応することができる。
【００２９】
（実施の形態２）本発明に係る第２の実施の形態の動作説明図を図６に、フローチャートを図７に示す。
【００３０】
図２に示す参考である第１の実施の形態と異なる点は、前記第１の所定値よりも小さい第２の所定値を設けて、現在の検出値と１つ前の検出値との比較による差の値が前記第３の所定値よりも低い場合も、制御部３は、検出値をイレギュラーな光によるもの判断して制御する様に構成したものであり、同一構成には同一符号を付すことにより説明を省略する。なお、ブロック構成図は図１に示すものと同じである。
【００３１】
以下、図６及び図７を参照して動作を簡単に説明する。今、照度検出部２は略一定のサンプリング間隔で周囲照度を検出している。図６において、検出値（ａ）と検出値（ｂ）との差と、検出値（ｂ）と検出値（ｃ）との差と、検出値（ｃ）と検出値（ｄ）との差とは、第２の所定値（ここでは０．５）以下であるので、制御部３は、検出値をイレギュラーな光によるもの判断し、照明負荷１の光出力を変化しない。一方、検出値（ｄ）と検出値（ｅ）との差とは、第２の所定値以上第１の所定値以下であるので、検出値（ｅ）をその時での周囲照度を正確に示すものとして、検出値（ｅ）に応じて照明負荷１の光出力を制御する。以下、検出値（ｆ）、（ｇ）、（ｈ）についても同様に動作する。
【００３２】
以上の様に構成したことにより、小さなちらつきによって不必要に照度出力が変化してしまうことを低減でき、より快適な視環境を実現することができる。
【００３３】
（実施の形態３）本発明に係る第３の実施の形態の動作説明図を図８に、フローチャートを図９に示す。
【００３４】
図２に示す参考である第１の実施の形態と異なる点は、照明負荷１の光出力が減少している場合と照明負荷１の光出力が増加している場合とで、前記所定値が異なる様に構成したものであり、同一構成には同一符号を付すことにより説明を省略する。なお、ブロック構成図は図１に示すものと同じである。
【００３５】
以下、図８及び図９を参照して動作を簡単に説明する。
今、照度検出部２は略一定のサンプリング間隔で周囲照度を検出している。図８において、検出値（ａ）〜検出値（ｅ）においては、２つの検出値の差は所定値（ここでは１．５）以下であるので、制御部３は、照明負荷１の光出力を変化する。一方、検出値（ｆ）〜検出値（ｋ）においては、２つの検出値の差は、所定値（ここでは０．５）以上であるので、制御部３は、照明負荷１の光出力を変化させない。つまり、照明負荷１の光出力が減少する方向にはゆっくりと制御し、照明負荷１の光出力が増加する方向には早く制御する。
【００３６】
以上の様に構成したことにより、照明負荷１の光出力が増加する方向にはレスポンスが向上し、つまり、利用者にとって必要な照明負荷１の光出力がより素早く提供でき、また、必要以上に照明負荷１の光出力が低下することを低減できる。更に、例えば、照明負荷１の光出力を上げる→照度検出部２の検出値が上がる→照度検出部２の検出値が上がったので照明負荷１の光出力を下げる→照度検出部２の検出値が下がる→照度検出部２の検出値が下がったので照明負荷１の光出力を上げる、という様な光出力の発振を低減することができる。
【００３７】
【発明の効果】
請求項１に記載の発明によれば、急激且つ瞬間的な検出出力の変化に対しては照明負荷の光出力が追随することがなく、必要なときは検出出力の変化に対して照明負荷の光出力が略リアルに追随し、ちらつきの少ない快適な視環境を実現可能で、小型化可能な照明装置を提供できる。さらにサンプリング間隔が不規則な場合にも対応することが可能な照明装置を提供できる。
【００４０】
請求項２記載の発明によれば、照明負荷の光出力が増加する方向にはレスポンスが向上し、つまり、利用者にとって必要な照明負荷の光出力がより素早く提供でき、また、必要以上に照明負荷の光出力が低下することを低減可能であり、更に、光出力の発振を低減することが可能な照明装置を提供できる。
【図面の簡単な説明】
【図１】本発明に係る参考である第１の実施の形態のブロック構成図を示す。
【図２】本発明に係る参考である第１の実施の形態の動作説明図を示す。
【図３】本発明に係る参考である第１の実施の形態のフローチャートを示す。
【図４】本発明に係る第１の実施の形態の動作説明図を示す。
【図５】本発明に係る第１の実施の形態のフローチャートを示す。
【図６】本発明に係る第２の実施の形態の動作説明図を示す。
【図７】本発明に係る第２の実施の形態のフローチャートを示す。
【図８】本発明に係る第３の実施の形態の動作説明図を示す。
【図９】本発明に係る第３の実施の形態のフローチャートを示す。
【図１】
0003893733.tif 000002
【図２】
0003893733.tif 000003
【図３】
0003893733.tif 000004
【図４】
0003893733.tif 000005
【図５】
0003893733.tif 000006
【図６】
0003893733.tif 000007
【図７】
0003893733.tif 000008
【図８】
0003893733.tif 000009
【図９】
0003893733.tif 000010